(57)【要約】【課題】絶縁本体を固持し、外部磁界などを確実に遮蔽できる電気コネクタを提供する。【解決手段】本発明の電気コネクタは、天板と、底板と、左右側壁と、前記左右側壁からそれぞれ後向きに折曲がって延在するように形成される後板と、を含むシールドと、主体部と、該主体部に垂直に延在するように形成される先端支持部と、を含み、前記シールド内に収容される絶縁本体と、前記絶縁本体内に装着される導電端子と、を含む。前記シールドの後板は、前記絶縁本体の後壁に貼り付けられるための保持壁と、前記導電端子を覆うための遮蔽壁とを含む。【選択図】図１
2007180004.tif 000002
【特許請求の範囲】
【請求項１】
天板と、底板と、左右側壁と、前記左右側壁からそれぞれ後向きに折曲がって延在するように形成される後板と、を含むシールドと、
主体部と、該主体部に垂直に延在するように形成される先端支持部と、を含み、前記シールド内に収容される絶縁本体と、
前記絶縁本体内に装着される導電端子と、
を含む電気コネクタにおいて、
前記シールドの後板は、前記絶縁本体の後壁に貼り付けられるための保持壁と、前記導電端子を覆うための遮蔽壁とを含むことを特徴とする電気コネクタ。
【請求項２】
前記シールドの遮蔽壁は、前記保持壁から下向きに折曲がって延在するように形成されることを特徴とする、請求項１に記載の電気コネクタ。
【請求項３】
前記主体部の上壁には、前記シールドに係合して保持される保持部が設けられることを特徴とする、請求項１または請求項２に記載の電気コネクタ。
【請求項４】
前記主体部の下壁には、前記シールドの底板に当接される凸状リブが形成されることを特徴とする、請求項３に記載の電気コネクタ。
【請求項５】
前記シールドの天板に、相手コネクタに圧接される弾性片が形成されることを特徴とする、請求項１または請求項２に記載の電気コネクタ。
【請求項６】
前記シールドの天板の両側には、前記絶縁本体の保持部に係合する固持部がそれぞれ形成されることを特徴とする、請求項３に記載の電気コネクタ。
【請求項７】
前記シールドの底板に、絶縁本体のシールドへの挿入をガイドするためのテール部が形成されることを特徴とする、請求項１または請求項２に記載の電気コネクタ。
【請求項８】
前記シールドのテール部は、導電端子の両側を遮蔽できることを特徴とする、請求項７に記載の電気コネクタ。
【発明の詳細な説明】
【技術分野】
【０００１】
本発明は、電気コネクタに関し、特にシェルが改良された電気コネクタに関するものである。
【背景技術】
【０００２】
パーソナルコンピュータが小型化するのに従って、ユニバーサルシリアルバス（Universal Serial Bus、ＵＳＢ）電気コネクタは、業界で広く使用さるようになってきた。また、その伝送速度が速く、多くの異なる信号が伝送できるため、ＵＳＢ電気コネクタは、業界にとって一種の信号伝送標準になっている。
【０００３】
従来技術の電気コネクタは、特許文献１に示すように、絶縁本体と、絶縁本体の前側に横に並んで配設され且つ後方に下方に向かって折曲げられて絶縁本体の底面から下方に突出するように、絶縁本体に一体的に嵌挿され且つ互いに平行に延びる複数本のコンタクトと、前記絶縁本体の上下及び両側面を包囲すると共に、後方にて下面の両側から突出する二つの基板固定爪を備えるシールドとを含んでいる。
【０００４】
前記絶縁本体は、例えばモールド樹脂等により形成され、その底面には基板に設けられる係合部に嵌合する固定柱が設けられる。基板実装時に、固定柱が実装基板に設けられた係合部に対して嵌合することにより、電気コネクタが基板に対して固定保持され得るようになっている。前記コンタクトは絶縁本体に装着され、その後端が絶縁本体の後壁に沿って折曲がり延在し、且つコンタクトの表面が外側の空間に露出される。また、前記シールドは、板金により構成されており、その両側壁に絶縁本体に接触する弾性片がそれぞれ切起される。相手コネクタに嵌合する際に、前記弾性片が相手コネクタのシールドの対応側壁の表面に圧接して、従来技術の電気コネクタのシールドと相手コネクタのシールドの間の接地を行っている。
【特許文献１】中国実用新案公報第２５０８４３２号
【発明の開示】
【発明が解決しようとする課題】
【０００５】
しかしながら、前記したような従来の電気コネクタにおいては、前記絶縁本体の底面に基板に係合する固定柱が形成されるので、絶縁本体の構造が複雑になり、成型製造に不利になる。また、前記コンタクトの後端が外側の空間に露出し、外部磁界や外部電界などの影響から、信号の伝送が安定しない恐れがある。そこで、上述した欠点に鑑みて、新型電気コネクタを開発する必要がある。
【０００６】
本発明は、絶縁本体を固持し、外部磁界などを確実に遮蔽できる電気コネクタを提供することを目的とする。
【課題を解決するための手段】
【０００７】
前記目的を達成するために本発明の電気コネクタは、天板と、底板と、左右側壁と、前記左右側壁からそれぞれ後向きに折曲がって延在するように形成される後板と、を含むシールドと、主体部と、該主体部に垂直に延在するように形成される先端支持部と、を含み、前記シールド内に収容される絶縁本体と、前記絶縁本体内に装着される導電端子と、を含む。前記シールドの後板は、前記絶縁本体の後壁に貼り付けられるための保持壁と、前記導電端子を覆うための遮蔽壁とを含む。
【発明の効果】
【０００８】
従来の技術に比べると、本発明は以下の長所がある。シールドの後板の保持壁により、絶縁本体が保持される。また、後板の遮蔽壁により、導電端子が外部磁界や外部電界によって影響されることが防止できる。
【発明を実施するための最良の形態】
【０００９】
図１〜図４に基づいて、本発明の電気コネクタについて説明する。本発明の電気コネクタ１００は、シールド１と、シールと内に収容された絶縁本体２と、絶縁本体１に装着されている複数の導電端子３と、を含む。
【００１０】
図１と図２を参照すると、前記シールド１は、金属板を角筒状に曲げ変形するように形成され、天板１１と底板１２と、天板１１と底板１２とを連接した左右側壁１３、１４と、左右側壁１３、１４からそれぞれ後向きに折曲がって延在するように形成される後板１５と、を含む。前記天板１１と底板１２と左右側壁１３、１４には、相手コネクタ（図示せず）の挿入をガイドするためのガイド面１６がそれぞれ外方への向きに曲がり延在して形成される。シールド１の天板１１には、相手コネクタのシールドに圧接する弾性片１１１が切り起こし成形され、天板１１の後端の両側には、固持部１１２がそれぞれ形成される。前記後板１５は、水平方向に位置する保持壁１５１と、保持壁１５１から下向きに折曲がって延在するように形成される遮蔽壁１５２とからなる。底板１２には、回路基板に半田付けされるための半田部１２１と、後向きに延出するテール部１２２とが形成される。
【００１１】
図３と図４を参照すると、絶縁本体２は、主体部２１と、主体部２１に垂直に形成される先端支持部２２とが形成される。主体部２１の上壁２１７には、前記シールド１の固持部１１２と後板１５からなる収容空間（参照記号なし）に収容され、シールド１の天板１１に当接する保持部２１２が形成される。主体部２１の両側には第１干渉部２１４がそれぞれ形成され、該第１干渉部２１４によって、絶縁本体１がシールド１に干渉し係合される。
【００１２】
主体部の底壁２１８には、前記シールド１の底板１２に当接する複数の凸状リブ２１３が形成され、該凸状リブ２１３と前記保持部２１２によって、絶縁本体２の前方へ向ける移動が制限される。また、前記凸状リブ２１３同士の間に導電端子３を収容するための取付溝２１６が形成され、主体部２１の底壁２１８の両側即ち凸状リブ２１３の外側には、第２干渉部２１５がそれぞれ形成され、第２干渉部２１５がシールド１の底板１２のテール部１２２に干渉し係合されることによって、絶縁本体２がシールド１に保持される。前記先端支持部２２には、相手コネクタの対応した弾性部（図示せず）を収容するための通溝２２１と、導電端子３を収容するための端子溝２２２とが形成される。
【００１３】
図３と図４を参照すると、金属板からなる導電端子３は、絶縁本体２にインサート成形し装着され、相手コネクタの導電端子に接続し、絶縁本体２の端子溝２２２に収容される接触部３４と、回路基板に半田付けられ、前記取付溝２１６に収容される末端部３２と、接触部３４と末端部３３とを連接する屈曲部３３とを含む。前記屈曲部３３には、絶縁本体２に干渉し係合される突刺３１が形成され、該突刺３１が絶縁本体２に干渉し係合することによって、導電端子３の抜けが制限される。
【００１４】
取付る際に、まず、導電端子３が絶縁本体２に装着されている。次に、絶縁本体２は、シールド１の固持部１１２の案内によって、シールド１内に挿入され、最後に、シールド１の左右側壁１３、１４を折曲がって後板１５が形成される。前記保持壁１５１が絶縁本体２の後壁に貼り付けることによって、絶縁本体２がシールド１に保持される。シールド１の半田部１２１が回路基板に半田付けられることによって、本発明の電気コネクタ１００が回路基板に実装され。取付けた際に、シールド１のテール部１２２が、導電端子３の末端部３２の側壁を覆い、また、シールド１の後板１５の遮蔽壁が、導電端子３の上側を覆うことによって、導電端子３の側壁が外部磁界や外部電界によって影響されることが防止でき、信号の伝送の安定が確保される。
【００１５】
以上、本発明について、よい実施の形態を参照して詳細に説明したが、実施形態は、あくまでも例示的なものであり、これらに限定されるものではない。また、前記の説明は、本発明に基づきなしうる細部の修正或は変更など、いずれも本発明の請求範囲に属するものとする。
【図面の簡単な説明】
【００１６】
【図１】本発明に係る電気コネクタの組立斜視図である。
【図２】図１に示す電気コネクタのほかの角度から見る組立斜視図である。
【図３】本発明に係る電気コネクタの導電端子が絶縁本体に装着された組立斜視図である。
【図４】図３に示す電気コネクタのほかの角度から見る組立斜視図であり、一本の導電端子が絶縁本体に装着しない組立斜視図である。
【符号の説明】
【００１７】
１  シールド
１１  天板
１２  底板
１３  左側壁
１４  右側壁
１５  後板
１６  ガイド面
１１１  弾性片
１１２  固持部
１２２  半田部
１５１  保持壁
１５２  遮蔽壁
２  絶縁本体
２１  主体部
２２  先端支持部
２１２  保持部
２１３  凸状リブ
２１４  第１干渉部
２１５  第２干渉部
２１６  取付溝
２１７  上壁
２１８  底壁
２２１  通溝
２２２  端子溝
【図１】
2007180004.tif 000003
【図２】
2007180004.tif 000004
【図３】
2007180004.tif 000005
【図４】
2007180004.tif 000006